【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
第二の電話技術システムにおける未読の情報を利用できることを示すために、第一の電話技術システムから電話技術サービスを受ける携帯電話装置における表示を更新する方法であって、
第二の電話技術システムにおいて前記携帯電話装置の利用者が利用できる未閲覧の不在着信の数、未読のメッセージの数、新しい連絡先の数のうちの少なくとも一つを示す情報を含むプッシュ通知を受信する工程と、
前記プッシュ通知に含まれる前記情報を反映するために前記携帯電話装置における表示項目を更新する工程とを含み、
前記第二の電話技術システムは、前記プッシュ通知が前記第一の電話技術システムを介して前記携帯電話装置に伝達されるようにすることを特徴とする方法。
【請求項２】
前記更新する工程は、前記携帯電話装置の利用者のために前記第二の電話技術システムによって受信された未閲覧の不在着信の数を示すように前記表示項目を更新する工程を含み、
前記未閲覧の不在着信の数についての情報は、前記利用者の前記携帯電話装置にまだ伝達されていない情報であることを特徴とする請求項１に記載の方法。
【請求項３】
前記更新する工程は、前記携帯電話装置の利用者のために前記第二の電話技術システムによって受信された未読のメッセージの数も示すように前記表示項目を更新する工程をさらに含み、
前記未読のメッセージは、まだ前記利用者に対して表示されていないか、または前記利用者に対して再生されていないことを特徴とする請求項２に記載の方法。
【請求項４】
前記更新する工程は、前記携帯電話装置の利用者のために前記第二の電話技術システムによって受信された未読のメッセージの数を示すように前記表示項目を更新する工程を含み、
前記未読のメッセージは、まだ前記利用者に対して表示されていないか、または前記利用者に対して再生されていないことを特徴とする請求項１に記載の方法。
【請求項５】
前記更新する工程は、前記携帯電話装置の利用者のために前記第二の電話技術システムによって受信された未閲覧の不在着信および未読のメッセージの総数を示すように前記表示項目を更新する工程を含むことを特徴とする請求項１に記載の方法。
【請求項６】
前記更新する工程は、前記携帯電話装置に表示されているバッジ上に現れている少なくとも一つの数字を更新する工程を含むことを特徴とする請求項１に記載の方法。
【請求項７】
前記受信する工程と前記更新する工程とは、利用者の前記携帯電話装置上で作動しているアプリケーションによって実行されることを特徴とする請求項１に記載の方法。
【請求項８】
前記プッシュ通知は、電話の着信を告知し、
前記方法は、前記携帯電話装置の表示画面にメッセージが表示されるようにする工程をさらに含み、
前記メッセージは、利用者が前記電話を受信または拒否するために有効化できる、利用者によって選択可能なボタンを含むことを特徴とする請求項１に記載の方法。
【請求項９】
前記プッシュ通知は、前記第二の電話技術システムを介して受信され、
前記メッセージが表示されるようにする工程は、発信者の身元を含むメッセージが表示されるようにする工程を含み、
表示された識別情報は、前記第二の電話技術システムによって前記利用者のために保持されているアドレス帳から取得されることを特徴とする請求項８に記載の方法。
【請求項１０】
不在着信についての情報を携帯電話装置に送信する方法であって、
前記携帯電話装置は、第一の電話技術システムから電話技術サービスを受け、前記不在着信は第二の電話技術システムによって受信され、
利用者の携帯電話装置に宛てられたが前記利用者の携帯電話装置に接続されなかった不在着信を特定するために、前記第二の電話技術システムによって保持されている通話詳細記録（ＣＤＲ）を確認する工程と、
プッシュ通知を前記利用者の携帯電話装置へ、前記第一の電話技術システムを介してプッシュ通知サービスによって送信させる工程とを含み、
前記プッシュ通知は、前記利用者の携帯電話装置に宛てられたが前記利用者の携帯電話装置に接続されなかった未閲覧の不在着信の総数についての情報を含むことを特徴とする方法。
【請求項１１】
前記利用者の携帯電話装置のために前記第二の電話技術システムによって受信されたが前記利用者の携帯電話装置にはまだ伝達されていない未読のメッセージの総数を決定する工程をさらに含み、
前記送信させる工程は、プッシュ通知を送信させる工程をさらに含み、
上記プッシュ通知は、未読のメッセージの総数についての情報を含むことを特徴とする請求項１０に記載の方法。
【請求項１２】
前記利用者の携帯電話装置のために前記第二の電話技術システムによって受信されたが前記携帯電話装置によってまだ前記利用者に対して表示されていないか、または前記利用者に対して再生されていない未読のメッセージの総数を決定する工程をさらに含み、
前記送信させる工程は、プッシュ通知を送信させる工程をさらに含み、
上記プッシュ通知は、未表示または未再生のメッセージの総数についての情報を含むことを特徴とする請求項１０に記載の方法。
【請求項１３】
前記第二の電話技術システムによって前記利用者のために保持されているアドレス帳に追加され、前記利用者の携帯電話装置にまだ伝達されていない新しい連絡先の総数を決める工程をさらに含み、
前記送信させる工程は、プッシュ通知を送信させる工程をさらに含み、
上記プッシュ通知は、前記利用者の携帯電話装置にまだ伝達されていない前記新しい連絡先の総数についての情報を含むことを特徴とする請求項１０に記載の方法。
【請求項１４】
前記送信させる工程は、電話の着信を告知するプッシュ通知を送信させる工程を含むことを特徴とする請求項１０に記載の方法。
【請求項１５】
前記電話の着信を発信した発信者の身元についての情報を取得する工程をさらに含み、
前記情報は、前記第二の電話技術システムによって前記利用者のために保持されているアドレス帳から、前記電話の着信に関連した発信者ＩＤ情報を使って取得され、
前記プッシュ通知は、取得された前記身元についての情報を含むことを特徴とする請求項１４に記載の方法。
【請求項１６】
前記送信させる工程は、受信したメッセージを告知するプッシュ通知を送信させる工程を含むことを特徴とする請求項１０に記載の方法。
【請求項１７】
前記受信したメッセージを発信した発信者の身元についての情報を取得する工程をさらに含み、
前記情報は、前記第二の電話技術システムによって前記利用者のために保持されているアドレス帳から、外部からの前記メッセージに関連した発信者ＩＤ情報を使って取得され、
前記プッシュ通知は取得された前記身元についての情報を含むことを特徴とする請求項１６に記載の方法。
【請求項１８】
前記確認する工程および前記送信させる工程は、定期的に実行されることを特徴とする請求項１０に記載の方法。
【請求項１９】
前記確認する工程および前記送信させる工程は、前記利用者の携帯電話装置に宛てられた電話の着信が前記第二の電話技術システムによって受信され、かつ、前記電話が前記利用者の携帯電話装置に接続されないたびに、実行されることを特徴とする請求項１０に記載の方法。
【請求項２０】
前記第一の電話技術システムは携帯電話技術システムであり、
前記第二の電話技術システムはＩＰ電話技術システムであることを特徴とする請求項１に記載の方法。
【請求項２１】
前記表示項目は、前記携帯電話装置における常駐ＩＰ電話技術アプリケーションに関連する表示項目であることを特徴とする請求項１に記載の方法。
【請求項２２】
前記第一の電話技術システムは、携帯電話技術システムであり、
前記第二の電話技術システムは、ＩＰ電話技術システムであることを特徴とする請求項１０に記載の方法。
【請求項２３】
前記プッシュ通知により、利用者が着信電話通信を受け取ることができ、かつ、
該着信電話通信を受け取ると、前記携帯電話装置は、ＩＰ電話技術アプリケーションをアクティブにし、該ＩＰ電話技術アプリケーションは、前記携帯電話装置をＩＰ電話技術システムに登録して、受け取った前記着信電話通信を完了することを特徴とする請求項１に記載の方法。